(57)【要約】【課題】装置を利用する際、表示部の傾斜位置を毎回調整し直す必要がないようにするなどして操作者の利便性を向上すること。【解決手段】装置本体１と、生体に係るの各種情報を採集するセンサーと、装置本体１に設けられセンサーを接続する接続部３と、装置本体１の操作方法やデータ等を表示する表示部７と、操作者側の手元から離れるにしたがい登り傾斜面を形成するか又は水平面を形成した第一の面４と、この第一の面４の後端から延設され第一の面４よりも傾斜角度の大きい第二の面５を備えている。これによって、表示部７の傾斜位置を使用する度に調整する必要がなく、また使用の際不意に後方に移動したりしないので、利便性が向上する。【選択図】  図１
2004337335.tif 000002
【特許請求の範囲】
【請求項１】
装置本体と、生体に係るの各種情報を採集するセンサーと、前記装置本体に設けられ前記センサーを接続する接続部と、前記装置本体の操作方法やデータ等を表示する表示部と、操作者側の手元から離れるにしたがい登り傾斜面を形成するか又は水平面を形成した第一の面と、前記第一の面の後端から延設され該第一の面よりも傾斜角度の大きい第二の面を備えた生体情報収集装置。
【請求項２】
操作スイッチを有する操作部を備え、前記操作部を第一の面に設けた請求項１記載の生体情報収集装置。
【請求項３】
表示部をＬＣＤで構成し、前記表示部を第二の面に設けた請求項１又は２記載の生体情報収集装置。
【発明の詳細な説明】
【０００１】
【発明の属する技術分野】
本発明は生体情報収集装置に関し、更に詳しくは、患者及びその家族は家に居ながらにしてそれぞれの生体情報を採取し、これらの情報を病院等に伝送することにより医師からの遠隔受診を可能にした生体情報収集装置に関する。
【０００２】
【従来の技術】
従来の生体情報収集装置としては、各種センサーを用いることにより、患者や家族の生体のさまざまな情報を採取し、その情報を健康管理用に活用したり、あるいはその情報を病院等の医療機関に伝送することにより医師による遠隔受診を可能とした装置がある（例えば、特許文献１参照）。この装置は、患者側にとっては、わざわざ病院や診療所等に出向いて体温、血圧等の生体情報を測定する必要性を回避することができ、また医師側にとっては、一人の患者にかける診療時間を短縮することができるという、双方にとって利便性が向上するという特徴を有している。
【０００３】
その生体情報収集装置は、図５に示すように、装置本体１と、各種の生体情報を測定する体温計や血圧計等のセンサー２と、装置本体１及びセンサー２の操作方法やセンサー２により測定された生体情報のデータを表示する表示部３と、センサー２と装置本体１とを接続し、センサー２により測定された生体情報のデータを装置本体１に伝送する第一のリード線４と、また装置本体１と電話回線等とを接続し、収集されたデータを伝送する第二のリード線５により構成される。
【０００４】
操作手順は、センサー２により各種生体情報を採取した後、患者あるいはその家族は、第一のリード線４を用いて装置本体１とセンサー２とを接続し、採取した生体情報のデータを装置本体１に伝送する。さらに、必要に応じて装置本体１に収集された生体情報のデータは、装置本体１から第二のリード線５、電話回線を介して順次病院側に伝送される。そして、病院にいる医師の元に生体情報のデータが伝送され、このデータを用いて医師が遠隔診療を行う。
【０００５】
【特許文献１】
特開２００１−３１４３８０号公報（第１０図）
【０００６】
【発明が解決しようとする課題】
しかしながら、このような従来の生体情報収集装置にあっては、操作者が使用する度に、表示部の位置を毎回調整して最も見やすい位置にしなければならならず、これが非常に煩雑であるばかりではなく、操作者が操作する際、本体の前方から後方へと大きな力が加わり、操作者側から後方へと装置そのものが移動してしまうので使い難く、さらに、装置本体に設けた表示部の位置の関係で、操作者から表示が見えにくいという課題があった。
【０００７】
【課題を解決するための手段】
上記課題を解決するために本発明の生体情報収集装置は、装置本体と、生体に係るの各種情報を採集するセンサーと、前記装置本体に設けられ前記センサーを接続する接続部と、前記装置本体の操作方法やデータ等を表示する表示部と、操作者側の手元から離れるにしたがい登り傾斜面を形成するか又は水平面を形成した第一の面と、前記第一の面の後端から延設され該第一の面よりも傾斜角度の大きい第二の面を備えたものである。
【０００８】
本発明によれば表示部の位置を使用する度に調整する必要もなく、使用の際不意に後方に移動したりしないので、利便性が向上するという効果がある。
【０００９】
【発明の実施の形態】
本発明の実施の形態は、装置本体と、生体に係るの各種情報を採集するセンサーと、装置本体に設けられセンサーを接続する接続部と、装置本体の操作方法やデータ等を表示する表示部と、操作者側の手元から離れるにしたがい登り傾斜面を形成するか又は水平面を形成した第一の面と、この第一の面の後端から延設され該第一の面よりも傾斜角度の大きい第二の面を備えたものである。これによって、操作者が使用する度毎に表示部の位置を毎回調整しなければならないという煩雑さが解消され、使い勝手が向上する。
【００１０】
また、スイッチ類で構成された操作部を、第一の面に設けたことにより、操作者が操作する際、本体の前方から後方へと大きな力が加わり、装置本体が後方へ移動することが防止され、利便性が向上する。
【００１１】
さらに、表示部をＬＣＤで構成し、この表示部を第二の面に設けたことにより、これまでのような表示部の設けられた位置が悪いとか、操作者から表示が見えにくいというようなことは無くなり、表示が見え易くなるので誤使用による操作者の事故や装置の故障等を防止し、信頼性が向上する。
【００１２】
【実施例】
以下、本発明の実施例について図面を参照しながら説明する。
【００１３】
（実施例１）
図１は、実施例１における生体情報収集装置の構成を示した斜視図、図２はその背面図である。図１及び図２において、１は生体情報収集装置の本体（以下、装置本体という）であり、その側面には生体情報等を採取する体温計、あるいは血圧計等のセンサー２と電気的に接続し、生体情報等の送受信を行う接続部３を有している。また、操作者から遠い側から操作者の側へと下るように傾斜した第一の面４と、その後方に第一の面４よりも下り傾斜の大きな第二の面５を有している。さらに、第一の面４には、生体情報等を伝送する場合、あるいは医師等からの質問に回答する場合等に用いる、数字や回答番号等を入力するスイッチ類等で構成された操作部６が構成されている。
【００１４】
また、７はＬＣＤ等で構成された表示部であり、その周囲を支える樹脂製のフレーム８により第二の面５上に構成されている。さらに、装置本体１には、その背面に信号線等を用いて電話回線等と電気的に接続し、生体情報等を病院の医師の元に送信する、あるいは医師等からの情報や指示等を受信する送受信部９が構成されている。
【００１５】
また、図３において１０はセンサー２の一例を示す血圧計であり、この血圧計１０は、その本体部分に測定ボタン１１、及び測定した生体情報のデータを装置本体１に送信する送信ボタン１２を有している。さらに、測定する場合に患者の上腕部に装着する装着部１３と、装置本体１の接続部３とリード線１４を介して電気的に接続される送信部１５も有している。
【００１６】
次に、上記構成における動作、作用を説明する。
【００１７】
最初に、患者あるいはその家族は各種生体情報等のデータを測定しようとする場合、センサー２を用意する。本実施例においては、センサー２として血圧計１０を用いる場合について説明する。患者あるいはその家族は、患者の血圧を測定しようとする場合、まず血圧計１０の装着部１３を自分自身あるいは患者等の被験者の腕に適切に装着する。その後、測定ボタン１１を操作することにより、血圧計１０内のポンプ（図示せず）が装着部１３内へ空気の注入を始める。続いて装着部１３内は加圧され、測定が開始される。
【００１８】
その後、装着部１３内が所定の圧力まで加圧されると、血圧計１０に内蔵された減圧弁（図示せず）の作用により装着部１３内が減圧されることにより最高血圧、最低血圧等の測定が行われる。測定が終了した後、患者あるいはその家族は、リード線１４を用いて装置本体１の接続部３と血圧計１０の送信部１５とを電気的に接続し、続いて、血圧計１０に設けられた送信ボタン１２を操作することにより、血圧計１０で測定された生体情報等のデータは装置本体１に収集される。さらに、この生体情報等は、装置本体１の背面に構成された送受信部９から電話回線等を経由して、病院の医師の元に送信され、医師等による遠隔診療を可能としている。
【００１９】
ここで、患者等が装置本体１を使用する場合には、表示部７に表示された各種情報や医師からの指示等を見ながら操作部６を操作する必要性がある。
【００２０】
本実施例においては、第一の面４と、その面の後方に第一の面４よりも傾斜角度の大きい第二の面５を有する構成としている為、患者等が表示部７の位置を使用する度に毎回調整しなければならないという従来の課題とされた煩雑さが解消されるので、患者あるいはその家族等にとって使いやすい生体情報収集装置を提供することが可能となる。また以上、センサー２として血圧計１０を用いた場合について説明したが、例えば、カメラ等を装置本体１に接続して患者の食事情報を送信するような場合にも適用可能であり、このような場合でも表示部７を調整する必要がなく、使い勝手が向上する。
【００２１】
（実施例２）
図４は、本発明の生体情報収集装置の構成を示すブロック図であり、操作部６は第一の面４に構成されている。以上のように構成された生体情報収集装置において、  以下にその動作、作用を説明する。
【００２２】
本実施例に示した生体情報収集装置の場合、操作部６を表示部７と同一の面に構成したものと比較すると、表示部７の視認性には影響しないという利点がある為に、第一の面４の傾斜角度を小さくすることができる。その結果、操作部６の操作時に装置本体１に加わる操作力を、水平方向と垂直方向に分解した場合の垂直方向成分（下方への力）をより大きくするような構成が実現でき、不必要に装置本体１の後方への力が加わり、不意に装置本体１を設置している位置が後方へと移動してしまうという不具合をなくすことができるものである。
【００２３】
さらに、一部のノート型パソコンに見られるように、タッチパネル等で構成されており、表示部７に接触するタイプの操作部６を構成したものにあっては、操作部６を操作する場合に装置本体１の操作者側の端が持ち上がり、その後操作を止めると落下してしまい装置が故障してしまうという不具合の発生が考えられるが、本実施例ではそのような不具合の発生を低減し、生体情報収集装置の信頼性を一層向上させることができる。
【００２４】
（実施例３）
図４において、表示部７は第二の面５に構成されている。以上のように構成された生体情報収集装置において、以下にその動作、作用を説明する。
【００２５】
本実施例に示した生体情報収集装置の場合、ノート型パソコンのように装置本体１とヒンジ等を用いて接続された表示部７を有する場合と比較すると、装置本体１の省スペース化及び軽量化が実現でき、操作者にとって使い勝手が向上する。
【００２６】
【発明の効果】
以上の説明から明らかのように、本発明の生体情報収集装置によれば次の効果が得られる。
【００２７】
表示部の位置を使用する度に調整する必要がなくなるので患者等被験者、操作者にとって使いやすく利便性が向上すると共に、不必要に装置本体に後方への力が加わり、設置している位置が不意に後方へ移動してしまうという不具合が無くなるので、使い勝手が向上する。
【００２８】
また例えば、操作する際、装置の操作者側の端が持ち上がり、これが原因で落下し故障の原因になるというこれまでの問題点は解消されると共に省スペース化、軽量化が実現する。
【図面の簡単な説明】
【図１】本発明の実施例１における生体情報収集装置の構成を示す斜視図
【図２】同生体情報収集装置の背面図
【図３】同生体情報収集装置に接続されるセンサーの外観斜視図
【図４】本発明の実施例２、実施例３における生体情報収集装置のブロック構成図
【図５】従来の生体情報収集装置の構成図
【符号の説明】
１  装置本体
２  センサー
３  接続部
４  第一の面
５  第二の面
６  操作部
７  表示部
【図１】
2004337335.tif 000003
【図２】
2004337335.tif 000004
【図３】
2004337335.tif 000005
【図４】
2004337335.tif 000006
【図５】
2004337335.tif 000007